Podtech/llm-jp-corpus-v4-ja_patent huggingface dataset:
(57)【要約】【課題】  あわび料理に残るあわび貝殻を活用して、輝く光沢を有する貝殻装身具を提供する。【解決手段】  あわび料理で残る貝殻を外皮を削除し、光沢を有する殻面から輝く光沢を有する貝殻装身具にする工程を図１にて説明する。凹凸形状、曲面状、光沢および殻面厚さを有するあわび貝殻殻面を装飾形状に造形加工、研磨加工で凹凸形状、曲面状、輝く光沢および殻面厚さを有する装飾殻面（１）にする。装飾殻面（１）の任意位置に円形状または角形状の飾り穴（２）の穴加工および体に装着するための装着穴（５）、装飾品（６）を連結する連結穴（４）、の穴加工することで、あわび殻面一枚から貝殻装身具の装飾殻面（１）を作り、選別した装飾品（６）を連結具（７）で飾り穴（２）に装着し、輝く光沢を有する貝殻装身具を提供することができる。【選択図】図１
2016036499.tif 000002
【特許請求の範囲】
【請求項１】
螺肋で形成される凹凸形状、曲面状および光沢を有するあわび貝殻殻面において、貝殻殻面を  さらに造形加工、研磨加工で凹凸形状、曲面状、輝く光沢および殻面厚さを有する装飾殻面を形成し、装飾殻面の任意の位置に飾り穴を形成し、装飾殻面の飾り穴に装飾品を装着することを特徴とする貝殻装身具。
【請求項２】
前記装飾殻面は、体に装着するための装着穴、装飾品を飾るための連結穴を有することを特徴とする請求項１記載の貝殻装身具。
【請求項３】
前記飾り穴は、円形状または角形状の穴とすることを特徴とする請求項１記載の貝殻装身具。
【請求項４】
前記装飾品は、連結具で飾り穴に装着することを特徴とする請求項１記載の貝殻装身具。
【請求項５】
前記連結具は、マルカン、バチカン、透明ビニール紐とすることを特徴とする請求項１記載の貝殻装身具。
【請求項６】
前記装飾品は、１８金、シルバー、プラチナ、真珠、貝殻、ダイヤモンド、白蝶パール、ブルートパーズ、アイオライト、トルコ石、オパール、ルビー、ペリドット、サファイアおよび人造宝石とすることを特徴とする請求項１記載の貝殻装身具。
【発明の詳細な説明】
【技術分野】
【０００１】
本発明は、貝殻装身具に関するものである。
【背景技術】
【０００２】
あわび殻面に飾り穴を有する貝殻装身具は、少なく、飾り穴付き殻面を素材に嵌め込む手法の螺鈿技法で、夜光貝を切り抜いた花卉文の花芯部に水晶を嵌め込み、素材に嵌め込む唐花螺鈿玉帯箱がある（例えば、非特許文献１参照）。
従来、殻面が持つ凹凸、曲面、光沢および強度を有効に活用した貝殻装身具はなかった。
【先行技術文献】
【非特許文献】
【０００３】
【非特許文献１】岡田  譲  他  著、日本の漆芸  ６  螺鈿・鎌倉彫・沈金、第１ページ  唐花螺鈿玉帯箱、日本公論社 １９９１年６月２０日発行。
【発明の概要】
【発明が解決しようとする課題】
【０００４】
本発明の課題は、凹凸状、曲面状、光沢および殻面厚みを有するあわび殻面を、さらに装飾形状に造形加工し、飾り穴加工し、凹凸、曲面、輝く光沢および厚みを有する装飾殻面にし、装飾品を装着し、体に飾る貝殻装身具にすることを目的とするものである。
【課題を解決するための手段】
【０００５】
本発明の貝殻装身具は、螺肋で形成される凹凸形状、曲面状および光沢を有するあわび貝殻の殻面を,さらに装飾形状に造形加工、研磨加工で凹凸形状、曲面状、輝く光沢および殻面厚さを有する装飾殻面とする。装飾殻面に飾り穴、装着穴および連結穴の穴加工し、飾り穴付き装飾殻面とする。
飾り穴は、装飾形状と調和する円形状または角形状の穴とし、装飾品を飾り穴にリンク、バチカンおよび透明ビニール紐の連結具で装着する。
装飾品は、１８金、シルバー、プラチナ、真珠、貝殻、ダイヤモンド、白蝶パール、ブルートパーズ、アイオライト、トルコ石、オパール、ルビー、ペリドット、サファイアおよび人造宝石とする。
【発明の効果】
【０００６】
本発明の貝殻装身具は、あわび貝殻の均一でない厚さ、凹凸形状および曲面状を活用したことで、体および貝殻装身具の動きで装飾殻面の輝く光沢が変化するうれしい効果が生じる。
強度ある厚さを有する殻面にすることで、触れる  および  動かす楽しみが生じる。
今まで見向きもしなかったあわび料理後の貝殻を貝殻装身具に有効活用することが出来る。
【図面の簡単な説明】
【０００７】
【図１】第１図は、本発明の一実施例による、角形状貝殻装身具の斜視図である。
【図２】第２図は、本発明の一実施例による、円形状貝殻装身具の斜視図である。
【図３】第３図は、本発明の一実施例による、光沢と殻面厚さを有するあわび殻面を角形状、円形状に造形加工、飾り穴加工した装飾殻面の形態写真である。
【発明を実施するための形態】
【０００８】
この発明の一実施例を図１について説明する。
螺肋（３）で形成される凹凸形状、曲面状、光沢および殻面厚さを有するあわび貝殻殻面を、さらに小形切断機、糸のこ、砥石で装飾形状に造形加工、研磨加工で凹凸形状、曲面状、輝く光沢および殻面厚さを有する装飾殻面（１）とする。
殻面厚さは、凹凸面で厚さの変化があるが、０．５０〜３．００ｍｍとする。
装飾殻面（１）に、体に装着するための装着穴（５）をドリルで穴加工する。
装飾殻面（１）の任意の位置に円形状または角形状の飾り穴（２）をドリル、円錐砥石、糸のこおよびやすりで穴加工し、飾り穴（２）付きの装飾殻面（１）とする。
装飾殻面（１）に、装飾品（６）を装着する連結穴（４）をドリルで穴加工する。
飾り穴（２）に装飾品（６）をリンク、バチカンおよび透明ビニール紐の連結具（７）で装着する。
装飾品（６）は、１８金、シルバー、プラチナ、真珠、貝殻、ダイヤモンド、白蝶パール、ブルートパーズ、アイオライト、トルコ石、オパール、ルビー、ペリドット、サファイアおよび人造宝石から選別する。
【符号の説明】
【０００９】
１：貝殻造形品
２：飾り穴
３：螺肋
４：連結穴
５：装着穴
６：装飾品
７：連結具
８：角形状飾り穴付き装飾殻面の写真
９：円形状飾り穴付き装飾殻面の写真
【図１】
2016036499.tif 000003
【図２】
2016036499.tif 000004
【図３】
2016036499.tif 000005
(57)【要約】【課題】  本発明は、開運等道しるしとなす、道しるべ、案内、願い事、証明（氏名、住所）等種々の認識に関与する事が出来る装飾品を得ることにある。【解決手段】  面に入添える機能、形態をおおうことで装飾品を構成している。【選択図】  図１
2016036438.tif 000002
【特許請求の範囲】
【請求項１】
面に入添える機能、形態をおおうことを特徴とする装飾品。
【請求項２】
請求項１に記載の装飾品に於いて、該機能、形態が外観から分かる装飾品。
【請求項３】
請求項１、２の少なくても何れか１つに記載の装飾品に於いて、該覆いは、開、閉自在と為す事が出来る装飾品。
【発明の詳細な説明】
【技術分野】
【０００１】
本発明は、道しるし、案内、願い事、証明（氏名、住所）等種々の該認識に関与する装飾品に関する。
【背景技術】
【０００２】
現在本人自身が住所、名前が判らない状態にある人（認知症の人）の徘徊が多く発生している。この様な人には、記名を書いたものを首からぶら下げている。
【０００３】
この様な首からぶら下げる物は、鬱陶しく恰好が悪いものである故に、取って捨ててしまう欠点があった。
【０００４】
そこで、今までにない画期的なものとして為す、取って捨ててしまわないお洒落な、格好良い、装飾にて苦にならないものとして該発明をした。
【先行技術文献】
【特許文献】
【０００５】
【特許文献１】特開２０１４−１０８３６２号公報
【特許文献２】特開２０１４−１０４３３２号公報
【発明の概要】
【発明が解決しようとする課題】
【０００６】
本発明は、以上のような従来の欠点にかんがみ、取って捨ててしまわないお洒落な、格好良い、装飾にて苦にならないものとして、全く新しい画期的な発明なものとして為す該発明をした装飾品を提供する。
【課題を解決するための手段】
【０００７】
上記目的を達成するために、本発明は、
１  面（２）に入添える機能、形態をおおうことを特徴とする装飾品。
２  請求項１記載の装飾品に於いて、該機能、形態が外観から分かる装飾品。
３  請求項１、２の記載の少なくても何れか１つに記載の装飾品に於いて、該おおいは、開、閉、自在と為す事が出来る装飾品。
で装飾品を構成している。
【発明の効果】
【０００８】
以上の説明から明らかのように、本発明にあっては次に列挙する効果が得られる。
（１）請求項１記載の面に入添える機能、形態をおおう特徴の装飾品。
の構成要件とで構成されているので、したがって、装飾品の面を彫る、書く、描く、面に必要な物、品種々等の機能、形態を添付、取付けをする事が出来る。その上から該機能、形態等を取り巻いて、囲む、かこう（たくわえる）等して、該機能、形態等の落下防止、劣化防止、安定化、保護を計る事が出来る。又この発明は該機能、形態等を簡単におさめる、形体形成とおおい等の加工又は、挿入、添、入りが安易とする事が出来る。
【０００９】
（２）請求項１に記載の装飾品に於いて、該機能、形態が外観から分かる装飾品とで構成されているので、したがって、装飾品に必要な物、品種々等の機能、形態を添付、取付けた内容が外から見て分かる事が出来る機能、材料（透明）を起用する。よって、必要とするものの、住所、氏名、又は貴重な記帳の存在を示すものが瞬時分かり、役に立つ装飾品が出来る。
よって、請求項２も、前記請求項１と同様な効果が得られる。
【００１０】
（３）請求項１、２の少なくても何れか１つに記載の装飾品に於いて、該おおいは、開、閉自在と為す事が出来る装飾品とで構成されているので、したがって、の面の上を閉じる、おおい、囲み、蓋等の種々の囲む、覆う機能構造形態は、開、閉自在の機能を備えて、該機能、形態（品等）の取替、継ぎ足し、取り出しが自由に行える事が出来る役に立つ装飾品が出来る。（よって、請求項３も、前記請求項１、２と同様な効果が得られる。）
【図面の簡単な説明】
【００１１】
【図１】機構を示す正面図（プレスレット）
【図２】機構を示す正面作用移動説明図
【図３】機構を示す正面図（プレスレット）
【図４】機構を示す機能作用図
【発明を実施するための形態】
【００１２】
以下、本発明の実施の形態を図に基づいて説明する。
なお、各実施の形態を通じ、同一の部材、要素または、部品、部分には同一の符号を付して、其の説明を省略する場合もある。
【実施例１】
【００１３】
プレスレットにおいて、プレスレットの一部分の表面に氏名、住所等を彫った機能構造形態の上から、該を囲んでそれらを保護したプレスレット。したがって、装飾品の面、とは辞書の指す如く（裏表内面）で有り該面に、付け加える、取付ける、控える、彫る、ところうの機能、形態、形体、構造、機構、構成の品、部品、部分、必要な物の種々等それらを覆う（蓋）、包囲、囲み、取り巻く、こかうする特徴を設けた装飾品。
【実施例２】
【００１４】
プレスレットにおいて、プレスレットの一部分の表面に氏名、住所等を書いた記載物を添付した。該上から囲む蓋絵を該上に示し、それが面上の機能構造形態（氏名、住所等）を囲もうとしている進行形を表す図柄とした。よって該を囲んでそれらを保護するプレスレット。
【実施例３】
【００１５】
プレスレットにおいて、プレスレットの一部分の表面に氏名、住所等ジーピーエスの機能構造形態を挿入してその上から、透明なものでそれらを囲んで挿入した内容が外から分かるようにしたプレスレット。したがって、請求項１に記載の装飾品の該機能の機関、器官、作用等種々機能、形態の形体、すがた、品等種々の形態の取り付けが、外観から見て何であるか分かる事が出来る（材料、機能）特徴を設けた装飾品。
【実施例４】
【００１６】
プレスレットにおいて、プレスレットの一部分の表面に氏名、住所等を書いた記載物を添付した。該上から囲む蓋絵を該上に展開示し、該表面と蓋が蝶番で繋がり、正に該蓋が閉じ様としている進行形を表す図柄とした。蓋を閉じた後該表面と蓋が閉まる機能を備え該機能のおおいは自由自在に開閉出来、添付、挿入等の機能構造形態品の入れ替え、出し入れが、何時でもできるプレスレット。したがって、請求項１、２に記載の装飾品の面の上を閉じる、おおい、囲みは、開、閉自在の機能を備えて、該機能、形態（品等）の取替が自由である事が出来る特徴を設けた装飾品。
【産業上の利用可能性】
【００１７】
本発明は、  装飾品を製造する産業で利用される。
【符号の説明】
【００１８】
１    装飾品、
２    面
３    おおい（蓋等）
４    機能構造形態類の記載、彫刻、機能部品、品等
【図１】
2016036438.tif 000003
【図２】
2016036438.tif 000004
【図３】
2016036438.tif 000005
【図４】
2016036438.tif 000006
(57)【要約】      （修正有）【課題】リハビリ医院、整体院等において、簡単に可動域のリハビリの改善効果を計測、及び視認できる方法を提供する。【解決手段】簡単に確認、操作できるスマートホンを活用して、関節可動域を撮影し、そのデ−タをクラウドシステムで自動記録させることにより、可視化され、視認できる写真と共に、計測数値を確認出来るようになることで、患者のモチベーション維持と業務の効率化、インフォームドコンセントを支援することができる。【選択図】図２
2016036483.tif 000002
【特許請求の範囲】
【請求項１】
リハビリ等で利用する可動域を計測する手段と角度表示する手段をもち、水平器で平
行を確認しながら写真撮影するスマートホンアプリと、複数枚の写真を１画面で比較して
表示できる手段をもつ。顧客別にクラウド自動保存システムの手段において、クラウドコ
ンピューティングで自動保存できる。スマートホンアプリ、及びｗｅｂサーバシステム。
【発明の詳細な説明】
【技術分野】
【０００１】
本発明は、スマートホンでリハビリ、整体院等で生体の可動域の計測ができるアプリ
ケーションシステムであり、その写真を比較できる機能を持ち、そのデーターをクラウド
サーバーに自動保存されるスマートホン及びそのアプリケーションシステムに関するもの
である。
【背景技術】
【０００２】
現在のデジタルカメラでは、生体の可動域の計測できる機能はない。その上、特殊な
撮影をすることはできない。また、クラウドサーバーに顧客別に自動保存することはでき
ない。
【０００３】
実際のリハビリの現場では、図１のような計測器を使い計測しているが、数値の記録の
みである為、患者さんに説明する際には、数値の告知のみであった。それを写真で計測、
記録、比較することにより、改善状況を時系列で保存、表示することにより、写真で可視
化された状態（ビフォーアフター）を患者さんに説明することができる。図２参照。
【０００４】
また、デジカメで写真を撮りパソコン等で管理した場合、顧客別に管理することが困難
であり、さらにデバイスの保存容量にも制限がある。その上、デバイスを紛失、及び破損
した場合は、データー自体も消失する危険があった。
【０００５】
この改善策として、可動域計測スマートホンアプリケーションシステムを開発し、
その写真をクラウドサーバーに自動保存することによりこの課題を解決できる。
【先行技術文献】
【特許文献】
【０００６】
【特許文献１】特許公開２０１４−６８７１４
【非特許文献】
【０００７】
【非特許文献１】http://www.kaigojuku.org/sub_scale/sub_scale_07.html
【発明の概要】
【発明が解決しようとする課題】
【０００８】
現在の技術では、左右に開脚するメジャーを使い、関節可動域を計測してカルテに記
録する。しかし、数値計測のみでは、インフォームドコンセントにおいて、不十分であり
、患者に改善効果を認知してもらうことに課題があった。また、前回からの改善効果の視
認化がされていない為に起きるリハビリのモチベーションアップにも課題があった。
【課題を解決するための手段】
【０００９】
本発明は、スマートホンにおいて、水平器とグリッド枠と生体の影に合わせて可動域
を撮影する機能をもち、計測する機能をもつアプリケーションシステム。可動域の数値
と写真比較する機能を持ちその状況を自動保存することを特徴とするアプリケーションシ
ステムを活用することにより、改善効果を十分に伝えることが可能になる。
【発明の効果】
【００１０】
本発明の、写真で計測する計測アプリケーションシステムは、撮影、可動域計測、比
較、クラウドサーバー保存をフォローしている。整体院での姿勢改善、リハビリを継続中
の患者にモチベーションを与え、時系列での改善効果を説明することができる。その為、
患者に対し、今までよりもさらに可視化された十分なインフォームドコンセントを行うこ
とが可能になる。さらに顧客（患者）満足（安心感）を生み出すことが利点としてあげら
れる。
【図面の簡単な説明】
【００１１】
【図１】図１は現在の可動域の計測方法である。（実施例１）
【図２】図２は撮影、計測、保存される仕組みを示したブロック図及び、構成図であ          る。（実施例２）
【図３】図３はアプリケーションシステムの機能画面である。9種類の撮影ガイドと            水平器により正確な撮影ができる。（実施例３）
【図４】図４は水平器グリッド撮影用の枠によりさらに正確に撮影が可能となる。            （実施例４）
【図５】図５は可動域計測、写真比較機能図である。（実施例５）
【図６】図６は撮影した写真を顧客（患者）別に保存するアプリケーションシであ              る。（実施例６）
【発明を実施するための形態】
【００１２】
可動域計測スマートホンアプリケーションシステムを開発し、そのデーター、写真
を顧客（患者）別にクラウドサーバーに自動保存することを実現させた。
【実施例１】
【００１３】
図１は、現在の可動域の計測方法である。
【実施例２】
【００１４】
図２は撮影、計測、保存される仕組みを示したブロック図及び、構成図である。
【実施例３】
【００１５】
図３はアプリケーションシステムの機能画面である。9種類の撮影ガイドと水平器に
より正確な撮影ができる。
【実施例４】
【００１６】
図４は水平器グリッド撮影用の枠によりさらに正確に撮影が可能となる。
【実施例５】
【００１７】
図５は可動域計測、写真比較機能図である。
【実施例６】
【００１８】
図６は撮影した写真を顧客（患者）別に保存するアプリケーションシステムである。
【産業上の利用可能性】
【００１９】
本装置を使うことにより、今まで数値化を積極的に行わなかった。業界例えば、建築業
界等。
【符号の説明】
【００２０】
１    水平器
２    影型撮影ガイド9種類
３    音声記録確認ボタン
４    カメラ切り替えボタン
５    グリッド撮影枠
６    角度表示
７    写真比較
８    顧客(患者)別管理アプリケーションシステム
【図１】
2016036483.tif 000003
【図２】
2016036483.tif 000004
【図３】
2016036483.tif 000005
【図４】
2016036483.tif 000006
【図５】
2016036483.tif 000007
【図６】
2016036483.tif 000008
(57)【要約】      （修正有）【課題】健康に危険と、欧米先進国などで、マーガリン、ショートニング、スプレッド等トランス加工脂質が禁止されている。無水澱粉類繊維および脂質よりも、高い形状保持性を有する可食物の提供。【解決手段】有効成分の長さが１００μｍ以上であり、かつ、その直径が１００μｍ以下の繊維より成る無水澱粉類繊維と、その無水澱粉類繊維に浸みこんだ脂質とでなり、前記無水澱粉類繊維および脂質よりも、高い形状保持性を有する可食物。無水澱粉類繊維重量の１％以上の蛋白質及び／又は炭水化物を加えて、無水澱粉類繊維、蛋白質、及び/又は炭水化物が脂質の形状を保持及び/又は脂質を硬化する可食物。【選択図】図１
2016036336.tif 000002
【特許請求の範囲】
【請求項１】
有効成分の長さが１００μｍ以上であり、かつ、その直径が１００μｍ以下の繊維より成る無水澱粉類繊維と、その無水澱粉類繊維に浸みこんだ脂質とでなり、
前記無水澱粉類繊維および脂質よりも、高い形状保持性を有する可食物。
【請求項２】
前記無水澱粉類繊維重量の１％以上の蛋白質及び/又は炭水化物を加えた、請求項１記載の可食物。    
【請求項３】
前記無水澱粉類繊維、蛋白質、及び/又は炭水化物が脂質の形状を保持及び/又は脂質を硬化するためのものであることを特徴とする請求項１乃至２記載の可食物。
【請求項４】
前記脂質が常温液性であることを特徴とする請求項記１乃至３記載の可食物。
【請求項５】
前記脂質が、チョコレート、バター、又は、オイルであることを特徴とする請求項１乃至４記載の可食物。
【請求項６】
３０〜２００℃の温度で固形状である、チョコレート様、バター様、又はプラスチック様であることを特徴とする請求項１乃至５記載の可食物。
【発明の詳細な説明】
【技術分野】
【０００１】
本発明は、革新澱粉脂質に関する。
【背景技術】
【０００２】
トランス加工のマーガリン、ショートニング、スプレッド等が、近年、非常に危険と欧米先進国をはじめ世界中で判明され、使用禁止とされてきている。しかし、液性オイルを有効に硬化させることは、いまだ難しい。バター、チョコレート、プラスチック等も、有効に硬化させることが、望まれる。
【０００３】
これらを可能にするために、澱粉繊維を用いて、特許取得した（特許文献１参照）。
【先行技術文献】
【特許文献】
【０００４】
【特許文献１】米国特許出願公開第２０１１／７９３５３６８号明細書
【発明の概要】
【発明が解決しようとする課題】
【０００５】  上記特許をさらに改良すべく、（公序良俗違反につき、不掲載）で、製造研究を繰り返した。しかし、目標とする良質の物が、全然できなかった。故に、彼らから、製造研究が進まずどうしようもないので何とかしてほしいと、必死に依頼された。そこで、効果が強く良質なものを作る更なる発明が必要となった。
【課題を解決するための手段】
【０００６】
そこで、さらに鋭意研究開発を続けて、新たに、微量の蛋白質や炭水化物を加えたり、無水澱粉類繊維を、１００μｍ以上に長くすることで、十倍近く強力に、自然に食感よく硬化できることを発明した。これによって、彼らも含めすべての人々が納得できた製品が作れた。硬さは応力[N/m２]で計測。
【図面の簡単な説明】
【０００７】
【図１】試験１の結果を示すグラフである。
【発明を実施するための形態】
【０００８】
[試験１]
表１に示す配合（重量比）のSampleA〜Fを作製した。液性オイル(oil)として綿実油(g)を使用。無水澱粉類繊維（strach）の長さは100μmより短いfineと、100μm以長のlongの二種類を使用した。無水澱粉類繊維の太さは、直径が100μm以下の繊維を使用した。直径が100μmより大きくなると、舌触りと食感が悪くなるためである。蛋白質として乳(milk)を使用した。乳(milk)は、脱脂粉乳skim dry milk(g)と、全粉乳whole dry milk(g)の二種類を使用した。
【表１】
2016036336.tif 000003
【０００９】
SampleA〜Fの硬さを計測した。結果を図１にて示す。硬さは応力[N/m２]で計測。
【００１０】
図１に示されるように、試験１の結果、微量の蛋白質を加えたり、無水澱粉類繊維（strach）を、１００μｍ以上に長くすることで、十倍近く強力に、自然に食感よく硬化できることを発明した。
【００１１】
[試験２］
表２に示す配合で、500μlの液性オイルに、無水澱粉類繊維（starch）と、蛋白質及び/又は炭水化物の粉末（Powder）を混合した。液性オイルとしてExtra Virgin Olive Oil 500μlを使用。無水澱粉類繊維は、上記試験１で用いたの長さ100μm以長で、直径100μm以下のlongを使用。蛋白質及び/又は炭水化物として、下記を用いた。
【表２】
2016036336.tif 000004
np:not particular   sl.: slightly.   bit.: bitter.  yel.:yellowish.  s,a.l.:same as left.  Arecales:Arecaseae Cocos.  b.c.:beautiful clear.  del.:delicious
【００１２】
試験２の結果、蛋白質及び/又は炭水化物は、それぞれ特徴ある効果を表すことが発見された。
【００１３】
無水澱粉類繊維重量の１％w/w未満の蛋白質及び/又は炭水化物の量では、上述の効果は見られなかった。
【００１４】
[試験３］
無水澱粉類繊維と脂質を混合したサンプルを作製した。無水澱粉類繊維は、上記試験１で用いた長さ100μm以長で、直径100μm以下のlongを使用。脂質として、チョコレートとバターを用いたサンプルを夫々作製した。チョコレートを用いたサンプルは、チョコレート様かつプラスチック様の固形状であり、バターを用いたサンプルはバター様かつプラスチック様の固形状であった。各サンプルは、チョコレートやバターの溶ける３０〜２００℃でも溶けず、固形状であった。２００℃を超えると、焦げ始めた。
【産業上の利用可能性】
【００１５】
澱粉脂質に、微量の蛋白質や炭水化物を加えたり、無水澱粉類繊維を、１００μｍ以上に長くすることで、十倍近く強力に、自然に食感よく硬化できることを発明した。
【図１】
2016036336.tif 000005
(57)【要約】      （修正有）【課題】日常生活の中で下半身を効果的・効率的に鍛えて姿勢を改善し、健康を維持できるように工夫した、下半身強化姿勢改善座椅子を提供する。【解決手段】座面１の中央に突起部２を設け、座面１の前側の淵に止め木３を設け、座面１の両横に台形の傾斜板４を設けたことを特徴とする。【選択図】図１
2016036711.tif 000002
【特許請求の範囲】
【請求項１】
座面（１）の中央に突起部（２）を設け、座面（１）の前側の淵に止め木（３）を設け、座面（１）の両横に傾斜板（４）を設けたことを特徴とする下半身強化姿勢改善座椅子。
【請求項２】
座面（１）の中央の突起部（２）を縦二つに分離した請求項１の下半身強化姿勢改善座椅子。
【発明の詳細な説明】
【技術分野】
【０００１】  この発明は、下半身を効果的・効率的に鍛えて姿勢を改善し、健康を維持できるように工夫した、下半身強化姿勢改善座椅子に関するものである。
【背景技術】
【０００２】  従来、下半身を強化して姿勢を改善し、健康を維持するための座椅子は、大きくて運動を伴うものか、正座用のものであった（特許文献１，特許文献２参照）。
【先行技術文献】
【特許文献】
【０００３】
【特許文献１】特開２００８−２３７７８５
【特許文献２】登録実用新案３１２１２６０
【発明の概要】
【発明が解決しようとする課題】
【０００４】  これは、次のような欠点があった。
従来の下半身を強化して姿勢を改善するための座椅子は大がかりで場所も取り、運動を伴うものが多く長続きしにくかった。また、小さくても正座用のものが多く膝に負担がかかりやすかったり、あるいは鍛えるところが部分的だったりした。
日常生活の中で無理なく効果的・効率的に下半身全体を総合的に強化して姿勢を改善し、健康を維持できるものが欲しかった。
本発明は以上のような欠点をなくすためになされたものである。
【課題を解決するための手段】
【０００５】  座面（１）の中央に突起部（２）を設け、座面（１）の前側の淵に止め木（３）を設け、座面（１）の両横に傾斜板（４）を設ける。
本発明は以上の構成よりなる下半身強化姿勢改善座椅子である。
【発明の効果】
【０００６】  日常生活の中で、膝にあまり負担をかけずに無理なく効率的に骨盤底筋と背筋の筋力トレーニングができる。また、足裏・アキレス腱・ふくらはぎ・股関節のストレッチもできるので、下半身強化と姿勢改善に極めて効果的である。そして、ただ座るだけでも坐骨が立ちやすく背筋に効果的である。骨盤底筋を鍛えることで、尿漏れの防止・改善ができる。コンパクトなので場所も取らず使いやすい。
【図面の簡単な説明】
【０００７】
【図１】本発明の斜視図である。
【図２】本発明の平面図である。
【図３】本発明の側面図である。
【図４】本発明の一部断面図である。
【図５】本発明の一部断面図である。
【図６】本発明の突起部（２）を縦二つに分離した場合の斜視図である。
【発明を実施するための形態】
【０００８】  以下本発明を実施するための形態について説明する。
座面（１）の中央に突起部（２）を設け、座面（１）の前側の淵に止め木（３）を設け、座面（１）の両横に台形の傾斜板（４）を設ける。
本発明は以上のような構造である。
本発明を使用するときは、腰が反らないように下腹に力を入れて、立膝・胡坐・安楽座・合踵座・長座など好みの座り方で、止め木（３）方向に突起部（２）をまたいで座る。坐骨をしっかり立て、呼吸に合わせて、坐骨で突起部（２）を挟んだり緩めたりして、骨盤底筋をトレーニングする。骨盤底筋のトレーニングは尿漏れの防止・改善につながる。感じが掴めないうちは意識してイメージするだけでも良い。胡坐・安楽座・合踵座で座れば股関節も刺激できる。座面（１）に姿勢を正して座るだけでも坐骨が立ちやすく、背筋も強化できる。
突起部（２）をある程度弾力性のあるものにしたり、突起部（２）の両端をそぎ落としたり、中央部をへこませたりして、座った時にお尻にフィットするようにする。突起部（２）の坐骨で挟む個所にはある程度の抵抗が必要であるが、その他の個所はすわり心地がよいように端をそぎ落としたり、中央部分を凹ませたりしてなだらかにする。座面（１）、突起部（２）、止め木（３）は、お尻や足が触れても痛くないように適切な丸みをもたせる。
突起部（２）を縦二つに分離して、スプリングでつないだりスライド式にしたりの可動式にして、“坐骨で挟む”という意識・感覚・運動効果を高めてもよい。分離した突起部（２）の間隔を調整できるようにして、分離した突起部（２）の間隔を両足の親指サイドと小指サイドで立てる広さにし、その間に足裏の親指側に加重して立てば足の内側が刺激されＯ脚改善につながる。足裏の小指側に加重して立てば足の内側が刺激されてＸ脚改善につながる。
立ち上がって踵を床につけて両足指で止め木（３）を掴めば足指・足裏・アキレス腱・ふくらはぎのストレッチや強化ができる。足の位置を移動させながら止め木（３）を踏めば足裏マッサージになる。また、後ろ側の淵に踵を乗せて足先を床につければ足の前側のストレッチや強化ができる。更に、前向きや後ろ向きで昇降運動もできる。傾斜していることでバランス感覚にも作用する。
身体能力に応じて傾斜板（４）を適切な高さや傾斜度にすればいいし、調整できるようにしてもよい。
鍛えている部分に意識を向けて行う。
材質は木材・プラスチック・厚紙や硬化ゴム・ポリプロピレンなどの多少弾力のあるものにしてもいいし、各部を異なる材質で組み合わせてもよい。
絵・文字・カバー・色等、装飾を加えればより楽しく、気持ちよく使用できる。
コンパクトな大きさであり、傾斜板を台形にすることで安定もしているので、テレビを見たり机に向かったりする日常生活の中で使用できる。椅子の上に置いて座ってもよい。
【符号の説明】
【０００９】      １  座面
２  突起部
３  止め木
４  傾斜板
【図１】
2016036711.tif 000003
【図２】
2016036711.tif 000004
【図３】
2016036711.tif 000005
【図４】
2016036711.tif 000006
【図５】
2016036711.tif 000007
【図６】
2016036711.tif 000008
(57)【要約】      （修正有）【課題】小さい力でも楽に使用できるようにした掃除用具を提供する。【解決手段】箒本体１より伸びた柄２の先端部付近３に環状の支持具４を取り付ける。環状の支持具４の上方より腕を差し込み、そこから少し下方の柄２を手で握ることによって、柄２を握る手と環状の支持具４との二か所で箒を支えることになり、腕と箒が一体化して腕全体で箒を使用するようになる。【選択図】図１
2016036702.tif 000002
【特許請求の範囲】
【請求項１】
箒本体（１）より伸びた柄（２）の先端部付近（３）に環状の支持具（４）を取り付けた掃除用具。
【発明の詳細な説明】
【技術分野】
【０００１】  本発明は、箒の柄の先端部付近に環状の支持具を取り付けた掃除用具に関するものである。
【背景技術】
【０００２】  従来、箒はその柄の先端部付近の一か所を握って使用する構造になっている。
【先行技術文献】
【０００３】
【特許文献１】
【非特許文献１】
【発明の概要】
【発明が解決しようとしている課題】
【０００４】  従来の箒には次のような欠点があった。
作用点である箒本体の刷毛の部分が作業するための力点は、手で握っている箒の柄の先端部付近であるが、両点間にはかなりの隔たりがある為に使用するのに相応の力を必要とし、しばらく使い続けると手首や腕が疲労してきて力が入らず、特に力の弱い老人や子供にはかなり辛いものである。
本発明は、以上のような欠点を除くためになされたものである。
【課題を解決するための手段】
【０００５】  箒本体（１）から伸びる柄（２）の先端部付近（３）に環状の支持具（４）を取り付ける。
本発明は、以上のように構成された掃除用具である。
【発明の効果】
【０００６】  箒の柄の先端部付近に取り付けた環状の支持具の上方より腕を差し込み、そこから少し下方の柄の部分を手で握ることによって、柄を握る手と環状の支持具との二か所で箒を支えることになり、腕と箒が一体化して腕全体で箒を使用するような感覚になるので、労力が分散されて握力や手首の力をあまり使わずに済み、使用が格段に楽になる。
【図面の簡単な説明】
【０００７】
【図１】  本発明の斜視図である
【図２】  本発明使用時の部分図である
【発明を実施するための形態】
【０００８】  以下に、本発明を実施するための最良の形態について説明する。
箒本体（１）から伸びる柄（２）の先端部付近（３）に環状の支持具（４）を取り付ける。
本発明は以上のような構造であるから、これを使用するときは、
図２に示した如く、環状の支持具の上方から腕を差し込み、支持具よりも少し下方の柄の部分を手で握って使用すれば、握っている部分と腕を押さえている支持具との二か所で支えることになり、力点の範囲が手の一点だけから、手・支持具間の線へと伸びて労力が分散され、少しの力で楽々箒を扱うことができるようになるものである。
【符号の説明】
【０００９】１  箒本体
２  箒の柄
３  箒の柄の先端部付近
４  環状の支持具
５  箒使用時の腕
【図１】
2016036702.tif 000003
【図２】
2016036702.tif 000004
(57)【要約】      （修正有）【課題】調理中にまな板の横に包丁の持ち手の部分を手前にして仮置きをすると、乳幼児の手が容易に届く上、仮置きした包丁の刃に大人も触れたり落としたりという危険性があった。乳幼児に危険であることを学習させることは不可能であった。乳幼児に安全なだけでなく、全ての人にも安全である為のまな板を提供する。【解決手段】対向する二辺が直線状となるまな板の表面の周縁部に沿ってまな板の厚みに対して均等の深さの緩やかな傾斜を施した溝４をまな板の左右両側部まで達するように設け、前記溝４の底部に複数個の小穴５を設け、まな板の裏面にも表面と対称となる位置に表面と同様の溝５と小穴４を設けたまな板。【選択図】図２
2016036709.tif 000002
【特許請求の範囲】
【請求項１】
対向する２辺が直線状となるまな板の１辺の周縁部に沿って、まな板の左右両側部まで達する傾斜を施した溝を設ける、前記溝の形状はまな板使用者の立ち位置から見てまな板表面の相、対する辺に向かって緩やかな傾斜にしてあり、その溝の深さはまな板の厚みに対して均等である、またその溝の底部に水捌け用の裏面にまで貫通させた小穴を複数個設け、まな板の裏面にも前記溝と対称の位置に緩やかな傾斜を施した溝を設け、その溝にも水捌け用の貫通した小穴を複数個設けたことを特徴とする安全まな板。
【発明の詳細な説明】
【技術分野】
【０００１】本発明は乳幼児に対してやさしく、老若男女にもやさしいまな板に関するものである。
【背景技術】
【０００２】従来主婦等がまな板の上で食材を調理中、包丁を手放した時、その包丁は主に右（右利きの場合）に置く場合が多く、そのとき持ち手はまな板、もしくは調理台の手前際に位置する。
包丁を仮置きする器具は知られている。
【先行技術文献】
【特許文献】
【０００３】
【特許文献１】特開２０１２−２１７８３５号公報
【発明の概要】
【発明が解決しようとする課題】
【０００４】調理中に包丁の持ち手の部分を手前にして仮置きすると、乳幼児の手が容易に届く上、仮置きした包丁の刃に大人が触れたり落としたりという危険性もあった。
乳幼児に危険である事を学ばせるのは不可能だった。
本発明は、以上の問題点を解決するためになされたものである。
【課題を解決するための手段】
【０００５】対向する２辺が直線状となるまな板の表面の周縁部に沿ってまな板の厚みに対して均一の深さの緩やかな傾斜を施した溝をまな板の左右両側部に達するように設け、前記溝の底部に複数個の小穴を設け、まな板裏面にも表面と対称となる位置に表面と同様の溝と小穴を設ける。
以上の構成よりなる安全まな板。
【発明の効果】
【０００６】従来、乳幼児に対して危険とされていた包丁を安全に置くことができる上、
本発明は乳幼児に安全なだけでなく、全ての人にも安全であり、又、包丁を仮置きするための器具がないから邪魔にならない上、作業スペースも損なわず、まな板に設けた溝に緩やかな傾斜を施したことで、包丁の刃の部分をごく滑らかに出し入れできる、尚、一時的に手放した包丁を真横に置くことがなく、刃の部分や持ち手の部分に触れることがないから全ての人に安全である。
【図面の簡単な説明】
【０００７】
【図１】本発明の斜視図
【図２】本発明の使用状態を示す斜視図
【図３】Ａ−Ａ断面図
【発明を実施するための形態】
【０００８】以下本発明の実施の形態について説明する。
（イ）長方形状、方形状、または対向する２辺が直線状である、まな板（１）の直線状となる１辺の周縁部（２）に沿ってまな板（１）の左右両側部（３）まで達する傾斜を施した溝（４）を設ける。
（ロ）溝（４）の形状は、まな板（１）を使用者の立ち位置から見てまな板（１）の表面の相、対する辺に向かって緩やかな傾斜にする、その傾斜を施した溝（４）の深さはまな板の厚みに対して均等であり、傾斜を施した溝（４）すなわち図３に示した角度θが鈍角となるような傾斜とする、その溝（４）はまな板（１）の左右両側部（３）まで到達させてその底部には水捌け用に裏面まで貫通させた小穴（５）を複数個設ける、尚、溝（４）の形状を前述の通り、使用者の立ち位置から見てまな板（１）の表面の相、対する辺に向かって傾斜を施したことで包丁の刃の部分（７）が出し入れし易くなり、その溝（４）の深さも確保できるのでより安全である。
（ハ）まな板（１）の裏面にも上述した溝（４）と対称の位置である１辺の周縁部（２）に沿ってまな板（１）の左右両側部（３）まで達する傾斜を施した溝（４）を設け、前記溝（４）にも水捌け用に貫通した小穴（５）を複数個設ける。
本発明は以上のような構造である。
本発明を使用するときは一時的に手放した包丁の刃の部分（７）をまな板（１）の周縁部（２）に設けた傾斜を施した溝（４）にはめ込む、溝（４）は緩やかな傾斜を施してあるので、包丁の刃の部分（７）を滑らかに出し入れできて一時的に手放した包丁（６）を真横に置くことがなく、包丁の刃の部分（７）に触れることが無いから全ての人に安全である。
【符号の説明】
【０００９】  （１）まな板  （２）周縁部  （３）まな板側部  （４）傾斜を施した溝  （５）小穴  （６）包丁  （７）包丁の刃の部分  （８）持ち手
【図１】
2016036709.tif 000003
【図２】
2016036709.tif 000004
【図３】
2016036709.tif 000005
(57)【要約】【課題】手荷物は手でそのまま荷物を持つしかなく、手荷物の重量が重い時等は長時間持つことが出来ない場合もあった。【解決手段】手首に装着するバンド１と、このバンド１と直行する位置に接続されるフック２を設けたので、重い荷物でも長時間持つ事ができる。【選択図】図１
2016036701.tif 000002
【特許請求の範囲】
【請求項１】
手首に装着するバンドと、このバンドと直行する位置に接続されるフックとを持つことを特徴とする手荷物運搬用補助具。
【請求項２】
前記フックは、平板であることを特徴とする手荷物運搬用補助具。
【請求項３】
前記フックは、中間に丁番を設け折り畳み式にしたことを特徴とする手荷物運搬用補助具。
【請求項４】
前記バンドは、長さ調整式とした事を特徴とする手荷物運搬用補助具。
【発明の詳細な説明】
【技術分野】
【０００１】  この発明は、手で荷物を運ぶことを容易にする補助具に関する。
【背景技術】
【０００２】  従来、手荷物を持つ場合、は手で荷物のとってを握って持つ事によって行っていた。
【先行技術文献】
【特許文献】
【０００３】
【特許文献１】なし
【非特許文献】
【０００４】
【非特許文献１】なし
【発明の概要】
【発明が解決しようとする課題】
【０００５】  しかしながら、以上の技術によれば、手でそのまま荷物を持つしかなく、荷物の重量が重い場合は長時間持つことが出来ない場合もあった。
そこで、この発明は、重い荷物でも長時間持つことが出来る手荷物運搬用補助具を提供することを課題とする。
【課題を解決するための手段】
【０００６】  以上の課題を解決するために、第一発明は、手首に装着するバンドと、このバンドと直行する位置に接続されるフックとを備えた事を特徴とする手荷物運搬用補助具である。
また、第二発明は、バンドを長さを調整式とした事を特徴とする手荷物運搬用補助具である。
さらに、第三発明は、フックを平板にした事を特徴とする手荷物運搬用補助具である。
さらに、第四発明は、フックの中間に丁番を設け、折り畳み式にした事を特徴とする手荷物搬用補助具である。
【発明の効果】
【０００７】  第一発明、第二発明、第三発明または第四発明によれば、手首に装着するバンドとフックを設けたので、重い荷物でも長時間持つ事ができる。
【図面の簡単な説明】
【０００８】
【図１】この発明の一実施形態を示す斜視図である。
【発明を実施するための形態】
【０００９】  この発明の一実施形態を、図１に示す。
手荷物運搬用補助具のバンド１は布製、皮製もしくは合成皮革製であり、このバンド１と直行する位置にフック２が接続されている。
このバンドを腕３にはめることによって本手荷物運搬用補助具は使用される。
【００１０】「実施形態の効果」
この実施形態によれば、バンド１を腕３にはめる。そしてフック２に手荷物を引っ掛けて持つようにする。したがって、手荷物の重量が指先ではなく、バンド１を介して腕３に掛かるようになる為、重い物でも長時間持つ事が出来る。
「他の実施形態」
図１の実施形態では、バンド１の長さ調整は出来ないが、バックルを有するベルト式マジックテープ式等の調節式にしても良い。
また、フック２を平板にして手の平に馴染み易い形状にしても良い。
さらに、フック２中間に丁番を設けて折り畳み式にしても良い。
【符号の説明】
【００１１】１  バンド        ２  フック
３  腕
【図１】
2016036701.tif 000003
(57)【要約】【課題】健常者が普通に入浴し、肩、背中、腕等々洗うことができるように、障害があり洗いたい部位が洗えなかった作業の介助できるように、固定できて、引っ張ることができ、洗うことができるゴム付ボディタオルを提供する。【解決手段】従来と同じボディタオル下地（１）両端部分に紐が通るように縫い、紐（３）、紐（４）を取付け、中間下地部分に縦方向伸縮可能にできるようにゴム（２）を組み入れて、これを使用する時は、麻痺している側又は怪我等して使えない側の手とか足に紐をかけ、又かけることが無理なときは、風呂椅子の下に挟み、利き手で片方の紐を持って洗いたい部位にボディタオルを合わせ利き手で伸縮を繰り返すことにより洗うことが可能のゴム付ボディタオルを特徴とする。【選択図】図１
2016036707.tif 000002
【特許請求の範囲】
【請求項１】
ボディタオル下地中間部分に縦に伸縮可能にできるようにゴムを組み入れたゴム付ボディタオル。
【請求項２】
ボディタオル下地両端に長さの違う紐を取付けたゴム付ボディタオル。
【発明の詳細な説明】
【技術分野】
【０００１】  この発明は、ゴムをボディタオルの中に組み入れどこからでも伸縮可能にしたボディタオルに関するものである。
【背景技術】
【０００２】  従来、ボディタオルは、幾多の形状種類があり目的により柔軟性、幅、長さ、繊維の種類等々の機能を組み合わせしたものを使用していた。
【先行技術文献】
【特許文献】
【０００３】
【特許文献１】特許３３２６０１２
【特許文献２】特許４３８５０２９
【非特許文献】
【０００４】
【非特許文献１】特開２００８−０３６０６２
【非特許文献２】特開２００８−２７２３９１
【発明の概要】
【発明が解決しようとする課題】
【０００５】  これは、次のような欠点があった。
従来、身体を洗う時に、片手だけでは洗えない部分があった。
本発明は、以上のような欠点をなくすためになされたものである。
【課題を解決するための手段】
【０００６】  従来と同じボディタオル下地（１）両端部分に紐が通るように縫い、紐（３）、紐（４）を取付け、中間下地部分に縦方向伸縮可能にできるようにゴム（２）を組み入れたものである。
本発明は、以上の構成よりなるゴム付ボディタオルである。
【発明の効果】
【０００７】  ゴムの伸縮作用によりボディタオルの可動可能位置より先が前後するので部位を洗うことができるのである。
ボディタオル下地が伸縮しないので、本来の性能も失わないのである。
【図面の簡単な説明】
【０００８】
【図１】  本発明のゴム付ボディタオルトレース図である。
【発明を実施するための形態】
【０００９】  以下、本発明を実施するための形態について説明する。
ボディタオル下地（１）の両端部分に紐が通るように縫い、紐（３）、紐（４）を取付け、中間下地部分４箇所程度縦方向伸縮可能にできるようにゴム（２）を組み入れる。
本発明は、以上のような構成である。
これを使用する時は、麻痺している側又は怪我等して使えない側の手とか足に紐をかけ、又かけることが無理なときは、風呂椅子の下に挟み、利き手で片方の紐を持って洗いたい部位にボディタオルを合わせ利き手で伸縮を繰り返せばいい。
【産業上の利用可能性】
【００１０】  本発明は、手足半身麻痺の自立支援が目的で、自分で洗える喜びと、洗えなかったジレンマを解消する。
健常者も両方の手を片方ずつ伸縮することでスムーズに洗うことができる。
【符号の説明】
【００１１】  １  ボディタオル下地
２  ゴム
３  紐
４  紐
【図１】
2016036707.tif 000003
(57)【要約】【課題】  好きな装飾品を使うとき、付けやすいように装飾品の背中にキャップを設けたキャップ付装飾ボタンを提供する。【解決手段】  装飾品（１）の背中にキャップ（２）を設けたキャップ付装飾ボタンを特徴とする。【選択図】図１
2016036708.tif 000002
【特許請求の範囲】
【請求項１】
装飾品（１）の背中にキャップ（２）を設けたキャップ付装飾ボタン。
【発明の詳細な説明】
【技術分野】
【０００１】  この発明は、装飾品の背中にボタンにかぶせるキャップを付けたキャップ付装飾ボタンに関するものである。
【背景技術】
【０００２】  従来、ボタンと装飾品は別々になっていた。
【先行技術文献】
【特許文献】
【０００３】
【特許文献１】
【発明の概要】
【発明が解決しようとする課題】
【０００４】  これは次のような欠点があった。
（イ）従来、ボタンの大きさは、ボタンホールの大きさに合う物しか使えなかった。
（ロ）ボタンの位置にボタン以外の装飾品を付けられなかった。
本発明は、以上のような欠点をなくすためになされたものである。
【課題を解決するための手段】
【０００５】  装飾品（１）の背中にキャップ（２）を設け、ボタン（３）にキャップ（２）をかぶせる。
本発明は、以上の構成よりなるキャップ付装飾ボタンである。
【発明の効果】
【０００６】  大きなボタンにキャップを付けて、小さなボタンにかぶせたらびっくりする。
装飾品がキャップと一体になっているので、その日の気分で好きな装飾品を選んで、ボタンにかぶせたら良い。
【図面の簡単な説明】
【０００７】
【図１】  本発明の斜視図である。
【図２】  本発明の断面図である。
【発明を実施するための形態】
【０００８】  以下、本発明を実施するための形態について説明する。
装飾品（１）の背中にキャップ（２）を横から見えない様に設ける。
ボタン（３）にキャップ（２）をかぶせる。
本発明は、以上のような構造である。
これを使用するときは、装飾品と一体になったキャップで、その日の気分に叶った装飾ボタンを着ている服のボタンにかぶせたら良い。
【符号の説明】
【０００９】１  装飾品
２  キャップ
３  ボタン
【図１】
2016036708.tif 000003
【図２】
2016036708.tif 000004
(57)【要約】【課題】  本発明は、充電体に充電された電荷で発電することを目的としている。【解決手段】  電磁石の磁束で圧電素子に衝撃を加えると発生する高電圧の出力を使用したＡＣ発電と、全波整流回路を使用したＤＣ発電する。【選択図】図１
2016036237.tif 000002
【特許請求の範囲】
【請求項１】
充電体に電荷を充電させておき、この充電体の電荷を変圧器で電機信号に変換した後、電磁石に供給し、制御手段でこの電磁石に供給する電気信号のデューティ比を制御して圧電素子を駆動し、該圧電素子を２基設けた出力を組み合わせたＡＣ発電と、全波整流回路を使用したＤＣ発電することを特徴とする充電体を用いた発電方法。
【発明の詳細な説明】
【技術分野】
【０００１】  本発明は、充電体に電荷を充電させておき、この充電体の電荷を変圧器で電気信号に変換した後、電磁石に供給し、この電磁石の磁束で駆動される圧電素子の出力を全波整流した、充電体を用いた発電方法に関するものである。
【背景技術】
【０００２】  従来、発電する場合は、水の圧力（水圧）を利用して水車を回転させて発電したり、あるいは、水を熱して高温の蒸気を発生させタービンを回転させて火力発電する方法が採用されている。
その一方で、最近は、エコエネルギーが注目されるようになっており、風車発電やソーラー発電も注目されるようになってきている。
【発明の概要】
【発明が解決しようとする課題】
【０００３】  そのために次のような問題があった。
従来の電力を発生する方法は、外部からの自然エネルギーを利用して行うものと原子力、エンジンを使用したものがあった。
本発明は、このような課題に鑑みてなされたものであって、自然のエネルギーを利用することなく、半永久的に発電することができる発電方法を提供することを目的としている。
本発明は、以上の問題点を解決しようとするものである。
【課題を解決するための手段】
【０００４】  前記した課題を解決するために本発明は、充電体に電荷を充電させておき、この充電体の電荷を変圧器で電気信号に変換した後、電磁石に供給し、制御手段で電磁石に供給する電気信号のデューティ比を制御して圧電素子を駆動し、該圧電素子の出力で発電手段を駆動するようにしたことを特徴とする。
【発明の効果】
【０００５】  本発明によれば、自然のエネルギーを利用することなく、半永久的に発電することができる。
【図面の簡単な説明】
【０００６】
【図１】  本発明の一実施例を示した構成図である。
【発明を実施するための形態】
【０００７】  以下、本発明の実施の形態について説明する。
図１は、本発明の一実施例を示した構成図である。
図１において、１は電荷をチャージする充電体である。
該充電体としては、誘導体や硫黄等が用いられる。
ＳＷ１は、充電体に電荷された起電器を放電させたものであり、２は鉄板であり、その先端は尖り、電荷密度を上げて放電する。
抵抗Ｒは、充電体（１）の電荷量を最適に維持するためのものであり、囲い（４）の中にあるエレクレット（３）を振動させ摩擦力で補償電荷する。
抵抗（Ｒ）に接続されるトランス（５）、一次コイルＮ１に入力され出力は、鉄板（２）に接続される。
このとき、一次コイルＮ１、二次コイルＮ２巻き数の比で電磁電圧を調整する。
この場合において、トランス（５）、二次コイルＮ２の出力は、マイクロコンピューターのサイクル制御で接点接続されるスイッチ（ＳＷ２）と接続される電磁石（６）、コイル（７）、磁束（８）で圧電素子（９）に衝撃を加えると高出力を外部に取り出したＡＣ発電の半波であり、前記したトランス（５）、二次コイルＮ２と接続されるスイッチ（ＳＷ３）は、マイクロコンピューターのサイクル制御を半波ずらした所に制御を合わせた。
スイッチ（ＳＷ３）と接続される電磁石（１０）、コイル（１１）、磁束（１２）で圧電素子（１３）に衝撃を加えると発生する高出力を外部に取り出した任意のサイクルＡＣ発電（１５）である。
前記圧伝素子（９）の出力を全波整流回路につないで外部に取り出したＤＣ発電である。
以上説明したように、本発明によれば蓄電池を使用したＥＶ自動車・リニアモーターの電源として使用することで実用上の効果が大きい。
【符号の説明】
【０００９】  １    充電体（硫黄）
２    鉄板
３    エレクレット
４    囲い
５    トランス
６    電磁石
７    コイル
８    磁束
９    圧電素子
１０  電磁石
１１  コイル
１２  磁束
１３  圧電素子
１４  ＤＣ発電
１５  ＡＣ発電
Ｒ１  抵抗
Ｒ２  抵抗
Ｄ１・Ｄ２  ダイオード
Ｄ３・Ｄ４  ダイオード
【図１】
2016036237.tif 000003